(57)【特許請求の範囲】
【請求項１】
少なくとも１つの適合可能な光出力特性を有する光出力を生成する複数のＬＥＤと、
前記複数のＬＥＤに電気的に結合されるコントローラと、を含み、
前記コントローラは、
特定の照明実装を示す照明実装データを受信し、
前記照明実装データの受信に応じて、所定の照明構成に関連付けられた所定の照明構成データをリクエストし、
前記所定の照明構成データを受信し、及び
前記所定の照明構成を達成するために、前記ＬＥＤの少なくとも１つの適合可能な光出力特性を適合するように構成され、
前記照明実装データは、前記ＬＥＤの前記特定の照明実装への統合に応じて受信され、
前記照明構成データは、複数の所定の照明構成データから選択され、
前記所定の照明構成データは、一次所望照明構成データと二次デフォルト照明構成データとを含む、適合可能なＬＥＤベース照明ユニット。
【請求項２】
前記コントローラと通信する少なくとも１つの記憶媒体を更に含み、前記記憶媒体は、前記照明構成データを保存し、前記ＬＥＤの前記特定の照明実装への統合に応じて前記照明構成データを送信する、請求項１に記載の適合可能なＬＥＤベース照明ユニット。
【請求項３】
前記コントローラは、前記特定の照明実装を示す照明実装データの受信に応じて、前記記憶媒体に前記照明構成データをリクエストする、請求項２に記載の適合可能なＬＥＤベース照明ユニット。
【請求項４】
前記照明構成データを受信して前記照明構成データを前記コントローラに送信するＲＦＩＤリーダーをさらに備える、請求項１に記載の適合可能なＬＥＤベース照明ユニット。
【請求項５】
前記少なくとも１つの適合可能な光出力特性は、動的光出力特性を含む、請求項１に記載の適合可能なＬＥＤベース照明ユニット。
【請求項６】
前記少なくとも１つの適合可能な光出力特性は、前記照明構成データに従って制御される調光を含む、請求項１に記載の適合可能なＬＥＤベース照明ユニット。
【請求項７】
少なくとも選択的に所定の照明構成データを送信する照明構成送信機と、
複数のＬＥＤを有するＬＥＤベース照明ユニットと、
前記複数のＬＥＤに電気的に結合されるコントローラと
を含み、
前記コントローラは、
特定の照明実装を示す照明実装データを受信し、
前記照明実装データの受信に応じて、所定の照明構成に関連付けられた所定の照明構成データをリクエストし、
前記所定の照明構成データを受信し、及び
前記所定の照明構成を達成するために、前記ＬＥＤの少なくとも１つの適合可能な光出力特性を適合するように構成され、
前記照明実装データは、前記ＬＥＤの前記特定の照明実装への統合に応じて受信され、
前記照明構成データは、複数の所定の照明構成データから選択され、
前記所定の照明構成データは、一次所望照明構成データと二次デフォルト照明構成データとを含む、適合可能なＬＥＤベース照明システム。
【請求項８】
前記照明実装データ及び前記照明構成データは、ルックアップテーブルにおいて互いに関連付けられる、請求項７に記載の適合可能なＬＥＤベース照明システム。
【請求項９】
前記照明実装データは、特定の照明器具、照明器具タイプ、照明器具形状、及び特定の照明効果のうちの少なくとも１つを含む、請求項７に記載の適合可能なＬＥＤベース照明システム。
【請求項１０】
前記照明構成送信機は記憶媒体である、請求項７に記載の適合可能なＬＥＤベース照明システム。
【請求項１１】
前記照明構成送信機はＲＦＩＤタグである、請求項７に記載の適合可能なＬＥＤベース照明システム。
【請求項１２】
前記コントローラは、前記所定の照明構成を達成するために、前記ＬＥＤの個別のＬＥＤグループの光出力特性を個別に調整する、請求項７に記載の適合可能なＬＥＤベース照明システム。
【請求項１３】
ＬＥＤベース照明ユニットを特定の照明実装に適合させる方法であって、
特定の照明実装を示す照明実装データを受信するステップと、
前記照明実装データの受信に応じて、所定の照明構成に関連付けられた所定の照明構成データをリクエストするステップと、
前記所定の照明構成データを受信するステップと、及び
前記所定の照明構成を達成するために、前記ＬＥＤベース照明ユニットのＬＥＤの少なくとも１つの光出力特性を適合するステップと、を含み、
前記照明実装データは、前記ＬＥＤの前記特定の照明実装への統合に応じて受信され、
前記照明構成データは、複数の所定の照明構成データから選択され、
前記所定の照明構成データは、一次所望照明構成データと二次デフォルト照明構成データとを含む、方法。
【請求項１４】
前記照明実装データは、特定の照明器具、照明器具タイプ、照明器具形状、及び特定の照明効果のうちの少なくとも１つを含む、請求項１３に記載の方法。
【発明の詳細な説明】
【技術分野】
【０００１】
［０００１］本発明は、一般的には適合可能な照明ユニットを対象とする。より具体的には、本明細書が開示する様々な発明的方法及び装置は、複数の照明効果を適合的に達成可能なＬＥＤベース照明ユニットに関連する。
【背景技術】
【０００２】
［０００２］デジタル照明技術、すなわち、発光ダイオード（ＬＥＤ：ｌｉｇｈｔ−ｅｍｉｔｔｉｎｇ  ｄｉｏｄｅ）などの半導体光源に基づく照明は、従来の蛍光灯、ＨＩＤ灯、及び白熱灯の実現可能な代替を提供する。ＬＥＤの機能的な利点及び利益は、高いエネルギー変換及び光学的効率、耐性、より低い動作コスト、並びに他の多くのことを含む。ＬＥＤ技術の近年の発達は、多くの用途で様々な照明効果を可能にする効率的でロバストなフルスペクトル照明源を提供している。これらの照明源を具現化する器具の幾つかは、例えば参照により本明細書に援用する米国特許第６，０１６，０３８号及び第６，２１１，６２６号に詳細に論じられているように、様々な色、及び色変化する照明効果を生み出するために、赤色、緑色、及び青色など様々な色を発生することが可能な１つ又は複数のＬＥＤと、ＬＥＤの出力を個別に制御するための処理装置とを含む照明モジュールを特徴とする。
【０００３】
［０００３］現在、メーカーは、照明器具への実装のための多様な照明ユニットを提供している。各照明ユニットはしばしば異なるフォームファクタを有し且つ／又は異なる種類の照明効果を生成する。例えば、それぞれが独自のフォームファクタ及び／又は独自の照明効果を生成する能力を備える数千の異なるＬＥＤベース照明ユニットが提供され得る。各ＬＥＤベース照明ユニットは、オプションで、特定の照明器具及び／又は特定の使用用途のために最適化され得る。しかし、一部の顧客は、提供される多様な照明ユニットの中から適切な照明ユニットを選択するのに苦労するおそれがある。
【発明の概要】
【発明が解決しようとする課題】
【０００４】
［０００４］したがって、当該技術分野には、複数の照明効果を適合的に達成可能であり、オプションで従来のアプローチの１つ以上の欠点を克服可能な照明ユニットを提供することへのニーズが存在する。
【課題を解決するための手段】
【０００５】
［０００５］本開示は複数の照明効果を適合的に達成可能な照明ユニットのための発明的方法及び装置を対象とする。例えば、少なくとも１つの適合可能な光出力特性を有する光出力を生成する複数のＬＥＤが提供され、当該複数のＬＥＤに電気的に結合されるコントローラによって制御され得る。コントローラは特定の照明実装（インプリメンテーション）に固有な受信照明構成データに従って少なくとも１つの適合可能な光出力特性を制御し得る。
【０００６】
［０００６］一般的に、本発明は一側面において、少なくとも１つの適合可能な光出力特性を有する光出力を生成する複数のＬＥＤと、複数のＬＥＤに電気的に結合され、受信された照明構成データに従って少なくとも１つの適合可能な光出力特性を制御するコントローラとを含む適合可能なＬＥＤベース照明ユニットに関連する。照明構成データは、所定の照明構成データのセットから選択され、ＬＥＤの特定の照明実装への統合に応じて受信され、特定の照明実装に固有である。
【０００７】
［０００７］一部の実施形態では、照明ユニットはコントローラと通信する少なくとも１つの記憶媒体を更に含み、記憶媒体は照明構成データを保存し、ＬＥＤの特定の照明実装への統合に応じて照明構成データを送信する。これらの実施形態の一部のバージョンでは、コントローラは、特定の照明実装を示す照明実装データの受信に応じて、記憶媒体に照明構成データをリクエストする。照明実装データ及び照明構成データは、任意で、記憶媒体のルックアップテーブルにおいて互いに関連付けられ得る。照明実装データは、任意で、特定の照明器具、照明器具タイプ、照明器具形状、及び特定の照明効果のうちの少なくとも１つを含み得る。照明ユニットは、任意で、照明実装データを受信して照明実装データをコントローラに送信するＲＦＩＤリーダーを更に含み得る。
【０００８】
［０００８］一部の実施形態では、照明ユニットは、照明構成データを受信して照明構成データをコントローラに送信するＲＦＩＤリーダーを更に含む。
【０００９】
［０００９］照明ユニットの一部の実施形態では、少なくとも１つの適合可能な光出力特性は、動的光出力特性である。
【００１０】
［００１０］照明ユニットの一部の実施形態では、少なくとも１つの適合可能な光出力特性は、照明構成データに従って制御される調光である。
【００１１】
［００１１］一般的に、他の側面では、本発明は、少なくとも選択的に所定の照明構成データを送信する照明構成送信機と、複数のＬＥＤを有するＬＥＤベース照明ユニットと、複数のＬＥＤに電気的に結合されるコントローラとを含む適合可能なＬＥＤベース照明システムに関連する。コントローラは、ＬＥＤの少なくとも１つの光出力特性を調整して複数の所定の照明構成のうちのある所定の照明構成を達成し、当該所定の照明構成は受信された照明構成データに関連付けられる。照明構成データは、ＬＥＤの特定の照明実装への統合に応じて受信される。
【００１２】
［００１２］照明システムの一部の実施形態では、コントローラは、特定の照明実装を示す照明実装データの受信に応じて照明構成データをリクエストする。これらの実施形態の一部のバージョンでは、照明実装データ及び照明構成データは、ルックアップテーブルにおいて互いに関連付けられる。照明実装データは、任意で、特定の照明器具、照明器具タイプ、照明器具形状、及び特定の照明効果のうちの少なくとも１つを含み得る。照明構成送信機は、任意で、記憶媒体又はＲＦＩＤタグであり得る。
【００１３】
［００１３］照明システムの一部の実施形態では、所定の照明構成データは、一次所望照明構成データと二次デフォルト照明構成データとを含む。
【００１４】
［００１４］照明システムの一部の実施形態では、コントローラは、所定の照明構成を達成するために、ＬＥＤの個別のＬＥＤグループの光出力特性を個別に調整する。
【００１５】
［００１５］一般的に、他の側面では、ＬＥＤベース照明ユニットを特定の照明実装に適合させる方法であって、特定の照明実装を示す照明実装データのために監視するステップと、照明実装データに対応する所定の照明構成データをリクエストするステップと、所定の照明構成データを受信するステップと、受信された照明構成データに関連付けられた所定の照明構成を達成するために、ＬＥＤベース照明ユニットのＬＥＤの少なくとも１つの光出力特性を調整するステップとを含む、方法が提供される。
【００１６】
［００１６］一部の実施形態では、照明実装データは、特定の照明器具、照明器具タイプ、照明器具形状、及び特定の照明効果のうちの少なくとも１つを含む。
【００１７】
［００１７］本開示の目的で本明細書において使用される場合、「ＬＥＤ」との用語は、任意のエレクトロルミネセンスダイオード、又は、電気信号に呼応して放射を発生できる、その他のタイプのキャリア注入／接合ベースシステム（ｃａｒｒｉｅｒ  ｉｎｊｅｃｔｉｏｎ／ｊｕｎｃｔｉｏｎ−ｂａｓｅｄ  ｓｙｓｔｅｍ）を含むものと理解すべきである。したがって、ＬＥＤとの用語は、次に限定されないが、電流に呼応して発光する様々な半導体ベースの構造体、発光ポリマー、有機発光ダイオード（ＯＬＥＤ）、エレクトロルミネセンスストリップ等を含む。特に、ＬＥＤとの用語は、赤外スペクトル、紫外スペクトル、及び（通常、約適合可能な照明ユニット４００ナノメートルから約７００ナノメートルまでの放射波長を含む）可視スペクトルの様々な部分のうちの１つ又は複数における放射を発生させることができるすべてのタイプの発光ダイオード（半導体及び有機発光ダイオードを含む）を指す。ＬＥＤの幾つかの例としては、次に限定されないが、様々なタイプの赤外線ＬＥＤ、紫外線ＬＥＤ、赤色ＬＥＤ、青色ＬＥＤ、緑色ＬＥＤ、黄色ＬＥＤ、アンバー色ＬＥＤ、橙色ＬＥＤ、及び白色ＬＥＤ（以下に詳しく述べる）がある。また、ＬＥＤは、所与のスペクトルに対して様々な帯域幅（例えば半波高全幅値（ＦＷＨＭ：ｆｕｌｌ  ｗｉｄｔｈｓ  ａｔ  ｈａｌｆ  ｍａｘｉｍｕｍ））、及び所与の一般的な色分類内で様々な支配的波長を有する放射（例えば狭帯域幅、広帯域幅）を発生させるように構成及び／又は制御することができることを理解すべきである。
【００１８】
［００１８］例えば本質的に白色光を生成するＬＥＤ（例えば白色ＬＥＤ）の一実施態様は、それぞれ、組み合わされることで混合して本質的に白色光を形成する様々なスペクトルのエレクトロルミネセンスを放射する複数のダイを含む。別の実施態様では、白色光ＬＥＤは、第１のスペクトルを有するエレクトロルミネセンスを異なる第２のスペクトルに変換する蛍光体材料に関連付けられる。この実施態様の一例では、比較的短波長で狭帯域幅スペクトルを有するエレクトロルミネセンスが、蛍光体材料を「ポンピング（ｐｕｍｐｓ）」して、当該蛍光体材料は、いくぶん広いスペクトルを有する長波長放射を放射する。
【００１９】
［００１９］また、ＬＥＤとの用語は、ＬＥＤの物理的及び／又は電気的なパッケージタイプを限定しないことを理解すべきである。例えば、上述した通り、ＬＥＤは、（例えば個々に制御可能であるか又は制御不能である）異なるスペクトルの放射をそれぞれ放射する複数のダイを有する単一の発光デバイスを指すこともある。また、ＬＥＤは、ＬＥＤ（例えばあるタイプの白色ＬＥＤ）の一体部分と見なされる蛍光体に関連付けられることもある。一般に、ＬＥＤとの用語は、パッケージＬＥＤ、非パッケージＬＥＤ、表面実装ＬＥＤ、チップ・オン・ボードＬＥＤ、ＴパッケージマウントＬＥＤ、ラジアルパッケージＬＥＤ、パワーパッケージＬＥＤ、何らかのタイプのケーシング及び／又は光学的要素（例えば拡散レンズ）を含むＬＥＤ等を指す。
【００２０】
［００２０］「光源」との用語は、次に限定されないが、ＬＥＤベース光源（上記に定義した１つ以上のＬＥＤを含む）、白熱光源（例えばフィラメント電灯、ハロゲン電灯）、蛍光光源、りん光性光源、高輝度放電光源（例えばナトリウム蒸気ランプ、水銀蒸気ランプ及びメタルハライドランプ）、レーザー、その他のタイプのエレクトロルミネセンス源を含む、様々な放射源のうちの任意の１つ以上を指すと理解すべきである。
【００２１】
［００２１］所与の光源は、可視スペクトル内、可視スペクトル外、又は両者の組合せでの電磁放射を発生する。したがって、「光」及び「放射」との用語は、本明細書では同義で使用される。更に、光源は、一体構成要素として、１つ以上のフィルタ（例えばカラーフィルタ）、レンズ、又はその他の光学的構成要素を含んでもよい。また、光源は、次に限定されないが、指示、表示、及び／又は照明を含む様々な用途に対し構成されることを理解すべきである。「照明源」とは、内部空間又は外部空間を効果的に照射するのに十分な強度を有する放射を発生するように特に構成された光源である。このコンテキストにおいて、「十分な強度」とは、周囲照明（すなわち、間接的に知覚され、また、例えば、全体的に又は部分的に知覚される前に１つ以上の様々な介在面から反射される光）を提供するために空間又は環境において発生される可視スペクトルにおける十分な放射強度（放射強度又は「光束」に関して、全方向における光源からの全光出力を表すために、単位「ルーメン」がよく使用される）を指す。
【００２２】
［００２２］「スペクトル」との用語は、１つ以上の光源によって生成された放射の任意の１つ以上の周波数（又は波長）を指すものと理解すべきである。したがって、「スペクトル」との用語は、可視範囲内の周波数（又は波長）のみならず、赤外線、紫外線、及び電磁スペクトル全体の他の領域の周波数（又は波長）も指す。更に、所与のスペクトルは、比較的狭い帯域幅（例えば、ＦＷＨＭは、基本的に、周波数又は波長成分をほとんど有さない）、又は、比較的広い帯域幅（様々な相対強度を有する幾つかの周波数又は波長成分）を有してよい。当然のことながら、所与のスペクトルは、２つ以上の他のスペクトルを混合（例えば、複数の光源からそれぞれ放射された放射を混合）した結果であってよい。
【００２３】
［００２３］本開示の目的で、「色」との用語は、「スペクトル」との用語と同義に使用される。しかし、「色」との用語は、通常、観察者によって知覚可能である放射の特性を主に指すために使用される（ただし、この使用は、当該用語の範囲を限定することを意図していない）。したがって、「様々な色」との用語は、様々な波長成分及び／又は帯域幅を有する複数のスペクトルを暗に指す。更に、当然のことながら、「色」との用語は、白色光及び非白色光の両方との関連で使用されてもよい。
【００２４】
［００２４］「色温度」との用語は、本明細書では、通常、白色光に関連して使用されるが、その使用は、当該用語の範囲を限定することを意図していない。色温度は、基本的に、白色光の特定の色内容又は陰（例えば、赤みを帯びた、青みを帯びた）を指す。所与の放射サンプルの色温度は、慣習的に、対象の放射サンプルと同じスペクトルを基本的に放射する黒体放射体のケルビン度数（Ｋ）の温度に応じて特徴付けられている。黒体放射体の色温度は、通常、約７００度Ｋ（通常、人間の目に最初に可視となると考えられている）から１０，０００度Ｋ超の範囲内であり、白色光は、通常、約１５００〜２０００度Ｋより高い色温度において知覚される。
【００２５】
［００２５］「照明器具」との用語は、本明細書では、特定のフォームファクタ、アセンブリ又はパッケージの１つ以上の照明ユニットの実施態様又は配置を指すために使用される。「照明ユニット」との用語は、本明細書では、同じ又は異なるタイプの１つ以上の光源を含む装置を指して使用される。所与の照明ユニットは、様々な光源の取付け配置、筐体／ハウジング配置及び形状、並びに／又は、電気及び機械的接続構成の何れか１つを有してもよい。更に、所与の照明ユニットは、光源の動作に関連する様々な他の構成要素（例えば制御回路）に任意選択的に関連付けられてもよい（例えば含む、結合される、及び／又は一緒にパッケージされる）。「ＬＥＤベース照明ユニット」とは、上記した１つ以上のＬＥＤベースの光源を、単独で又はその他の非ＬＥＤベースの光源との組合せで含む照明ユニットを指す。「マルチチャネル」照明ユニットとは、それぞれ異なる放射スペクトルを発生する少なくとも２つの光源を含むＬＥＤベース又は非ＬＥＤベース照明ユニットを指すものであり、各異なる光源スペクトルは、マルチチャネル照明ユニットの「チャネル」と呼ばれる。
【００２６】
［００２６］「コントローラ」という用語は、本明細書では概して１つ又は複数の光源の動作に関係する様々な機器を表現するために使われる。コントローラは、本明細書で論じられる様々な機能を実行するために多数の方法で実装され得る（例えば専用ハードウェアによってなど）。「プロセッサ」は、本明細書で論じられる様々な機能を実行するためにソフトウェア（例えばマイクロコード）を使用してプログラムされ得る１つ又は複数のマイクロプロセッサを用いるコントローラの一例である。コントローラは、プロセッサを使って又は使わずに実装されてもよく、何らかの機能を実行するための専用ハードウェアと他の機能を実行するためのプロセッサとの組合せ（例えば１つ又は複数のプログラムされたマイクロプロセッサと関連する回路）としても実装され得る。本開示の様々な実施形態で使用され得るコントローラ部品の例は、これだけに限定されないが、従来のマイクロプロセッサ、特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）、及び書替え可能ゲートアレイ（ＦＰＧＡ：ｆｉｅｌｄ−ｐｒｏｇｒａｍｍａｂｌｅ  ｇａｔｅ  ａｒｒａｙ）を含む。
【００２７】
［００２７］様々な実装形態において、プロセッサ又はコントローラは、１つ又は複数の記憶媒体（本明細書では一般に「メモリ」と呼ばれる、例えばＲＡＭ、ＰＲＯＭ、ＥＰＲＯＭやＥＥＰＲＯＭ、フロッピー（登録商標）ディスク、コンパクトディスク、光学ディスク、磁気テープなどの揮発性及び不揮発性コンピュータメモリ）に関連しても良い。一部の実装形態では、１つ若しくは複数のプロセッサ及び／又はコントローラ上で実行されるとき、本明細書で論じられる機能の少なくとも一部を実行する１つ又は複数のプログラムによって記憶媒体が符号化されても良い。本明細書で論じられる本発明の様々な態様を実施するために、記憶媒体上に記憶された１つ又は複数のプログラムがプロセッサ又はコントローラ内にロードされ得るように、様々な記憶媒体がプロセッサ若しくはコントローラ内に固定されてもよく、又は可搬式とすることができる。「プログラム」又は「コンピュータプログラム」という用語は、本明細書では、１つ又は複数のプロセッサ又はコントローラをプログラムするために使用され得る任意の種類のコンピュータコード（例えばソフトウェアやマイクロコード）を指すために一般的な意味で使われる。
【００２８】
［００２８］本明細書で使用するとき、「ネットワーク」という用語は、ネットワークに結合される２台以上の任意の装置間及び／又は複数の装置間の（例えば装置制御、データ記憶、データ交換等のための）情報の搬送を助ける、２台以上の装置（コントローラやプロセッサを含む）の任意の相互接続を指す。容易に理解されるように、複数の装置を相互接続するのに適したネットワークの様々な実装形態は、多岐にわたるネットワークトポロジーの何れかを含むことができ、多岐にわたる通信プロトコルの何れを使用しても良い。更に、本開示による様々なネットワークでは、２台の装置間の任意の１つの接続が２つのシステム間の専用接続、又は非専用接続に相当し得る。２台の装置を対象とした情報を運ぶことに加え、かかる非専用接続は必ずしも２台の装置の何れも対象としない情報を運ぶこともある（例えばオープンネットワーク接続）。更に、本明細書で論じられる装置の様々なネットワークは、ネットワーク全体にわたる情報搬送を助ける１つ又は複数の無線、有線／ケーブル、及び／又は光ファイバリンクを用いても良いことが容易に理解されよう。
【００２９】
［００２９］本明細書において使用される場合、用語「ユーザーインターフェイス」は、ユーザーとデバイスとの間の通信を可能にする、人間のユーザー又はオペレーターと１つ以上のデバイスとの間のインターフェイスを指す。本開示の多様な実施形態において使用され得るユーザーインターフェイスの例は、限定はされないが、スイッチ、ポテンショメータ、ボタン、ダイヤル、スライダー、マウス、キーボード、キーパッド、多様なゲームコントローラ（例えば、ジョイスティック）、トラックボール、表示画面、多様なグラフィカルユーザーインターフェイス（ＧＵＩ）、タッチスクリーン、マイク、及び人間が生成する何らかの形態の刺激を受信し、それに応じて信号を生成し得る他の種類のセンサを含み得る。
【００３０】
［００３０］上記の概念及び以下でより詳細に論じられる更なる概念のあらゆる組合せが（かかる概念が互いに矛盾しないという条件で）、本明細書に開示される本発明の内容の一部として予期されることが理解されるべきである。とりわけ、本開示の最後に登場する特許請求の範囲に記載の内容のあらゆる組合せが、本明細書に開示される本発明の内容の一部として予期される。参照により援用される任意の開示でも登場する場合がある本明細書で明示的に用いられる専門用語には、本明細書で開示される特定の概念に最もふさわしい意味が与えられるべきことも理解されるべきである。
【図面の簡単な説明】
【００３１】
［００３１］図中、類似の参照文字は一般に様々な図面にわたり同じパーツを指す。また、図面は必ずしも縮尺通りではなく、通常、むしろ本発明の原理を説明することに重点が置かれる。
【００３２】
【図１Ａ】［００３２］図１Ａは、様々な適合可能な照明ユニットモジュールを示す。
【図１Ｂ】［００３３］図１Ｂは、モジュラ適合可能照明ユニットを形成するよう合体された図１Ａの適合可能な照明ユニットモジュールを示す。
【図１Ｃ】［００３４］図１Ｃは、他のモジュラ適合可能照明ユニットを形成するよう合体された、図１Ａの適合可能な照明ユニットモジュールの一部及び追加の拡散適合可能照明ユニットモジュールを示す。
【図２Ａ】［００３５］図２Ａは、概して全方向に向けられた第１の光出力を生成するパック形状の適合可能な照明ユニットを示す。
【図２Ｂ】［００３６］図２Ｂは、概して上方向に向けられた第２の光出力を生成する図２Ａのパック形状の適合可能な照明ユニットを示す。
【図３Ａ】［００３７］図３Ａは、概してラジアル方向周囲３６０°に向けられた第１の光出力を生成する楕円形状の適合可能な照明ユニットを示す。
【図３Ｂ】［００３８］図３Ｂは、概してラジアル方向周囲約２４０°に向けられた第２の光出力を生成する図３Ａの楕円形状の適合可能な照明ユニットを示す。
【図４Ａ】［００３９］図４Ａは、アップ照明及びダウン照明によって第１の光出力を生成する適合可能な照明ユニットを有する照明器具を示す。
【図４Ｂ】［００４０］図４Ｂは、適合可能な照明ユニットがシェード照明によって第２の光出力を生成する図４Ａの照明器具を示す。
【図５Ａ】［００４１］図５Ａは、複数の発光層を備える複層適合可能照明ユニットモジュールを有する他のモジュラ適合可能照明ユニットの垂直断面図を示す。
【図５Ｂ】［００４２］図５Ｂは、図５Ａの複層適合可能照明ユニットモジュールの発光層のうちの１つの水平断面図を示す。
【図５Ｃ】［００４３］図５Ｃは、図５Ａの複層適合可能照明ユニットモジュールの発光層のうちの１つの垂直断面図を示す。
【図６】［００４４］図６は、適合可能なＬＥＤベース照明システムの一実施形態の概略図を示す。
【図７】［００４５］図７は、ＬＥＤベース照明ユニットを特定の照明実装に適合する方法の一実施形態のフローチャートを示す。
【発明を実施するための形態】
【００３３】
［００４６］現在、メーカーは、照明器具への実装のための多数の異なる照明ユニットを提供している。各照明ユニットはしばしば異なるフォームファクタを有し且つ／又は異なる種類の照明効果を生成する。照明ユニットはそれぞれ、オプションで、特定の照明器具及び／又は特定の使用用途のために最適化され得る。一部の顧客は提供される多様な照明ユニットの中から適切な照明ユニットを選択するのに苦労するおそれがある。したがって、出願人は、複数の照明効果を適合的に達成でき、オプションで従来の照明ユニットの１つ以上の欠点を克服し得る照明ユニットを提供することが有益であろうことを認識及び理解した。
【００３４】
［００４７］より一般的には、出願人は、複数の照明効果を適合的に達成可能なＬＥＤベース照明ユニットに関連する様々な発明的方法及び装置を提供することが有益であろうことを認識及び理解した。
【００３５】
［００４８］上記に照らして、本発明の様々な実施形態及び実装形態は、適合可能なＬＥＤベース照明ユニットを対象とする。
【００３６】
［００４９］図１Ａは、互いに及び／又は他の適合可能な照明ユニットモジュールとインターフェイス接続して所望の適合可能なモジュラ照明ユニットを形成し得る様々な適合可能な照明ユニットモジュールを示す。適合可能な照明ユニットモジュールは、凹部１１４を有する第１端拡散照明ユニットモジュール１１２、及び凹部１１８を有する第２端拡散照明ユニットモジュール１１６を含む。適合可能な照明ユニットモジュールは更に、線形延在中間拡散照明ユニットモジュール１２０、及びスポットライトユニットモジュール１２２を含む。拡散照明ユニットモジュール１１２、１１６、１２０はそれぞれ１つ以上の光源を含み、拡散性光出力を生成する。例えば、拡散照明ユニットモジュール１１２、１１６、１２０の１つ以上は、拡散光学素子（例えば、１つ以上のＬＥＤの上に設けられる屈折且つ／又は反射光学素子）と組み合わせられた、及び／又は、拡散レンズ若しくはＬＥＤの上に設けられる他の拡散材料によって覆われた複数のＬＥＤを含んでもよい。スポットライトユニットモジュール１２２は、スポットタイプ光出力を生成する１つ以上の光源を含む。例えば、スポットライトユニットモジュール１２２は、大体に所望の方向にスポットタイプ光出力を向けるよう１つ以上のコリメート光学素子と組み合わせられた１つ以上のＬＥＤを含んでもよい。照明ユニットモジュール１１２、１１６、１２０、及び１２２の１つ以上は、１つ以上の適合可能な光出力特性を有する。例えば、一部の実施形態では、照明ユニットモジュール１１２、１１６、１２０、及び１２２のそれぞれが、例えば本明細書に記載されるものの１つ以上等の複数の適合可能な光出力特性を有する。
【００３７】
［００５０］凹部１１４、１１８は概して角錐台の形状をしており、例えばスポットライト適合可能照明ユニットモジュール１２２等の他の適合可能な照明ユニットモジュールとインターフェイス接続し且つ／又はオプションで通信、電力、及び制御モジュール１３０等の他の照明器具要素とインターフェイス接続し得る。通信、電力、及び制御モジュール１３０は、適合可能な照明ユニットモジュール１１２、１１６、１２０、及び１２２の光源に給電するための１つ以上のドライバを含み得る。例えば、通信、電力、及び制御モジュール１３０は、適合可能な照明ユニットモジュール１１２、１１６、１２０、及び１２２のＬＥＤに給電するためのＬＥＤドライバを含んでもよい。通信、電力、及び制御モジュール１３０は更に、適合可能な照明ユニットモジュール１１２、１１６、１２０、及び１２２の給電を可能にするために、電源及び／又は外部電源のための接続を含んでもよい。例えば、電力線１３１が外部電源に結合され、適合可能な照明ユニットモジュール１１２、１１６、１２０の電力線１１３、１１７、及び／又は１２１と電気的に結合し、適合可能な照明ユニットモジュール１１２、１１６、１２０、及び１２２に電力を供給してもよい。
【００３８】
［００５１］通信、電力、及び制御モジュール１３０は更に、適合可能な照明ユニットモジュール１１２、１１６、１２０の１つ以上の光出力特性を調整するためのコントローラを含んでもよい。例えば、通信、電力、及び制御モジュール１３０は、適合可能な照明ユニットモジュール１１２、１１６、１２０の光出力特性を変更するようＬＥＤドライバの出力パラメータを操作可能なＬＥＤドライバと組み合わせて、コントローラを含んでもよい。
【００３９】
［００５２］通信、電力、及び制御モジュール１３０は更に、適合可能な照明ユニットモジュール１１２、１１６、１２０、及び１２２の１つ以上と通信するための及び／又は他の構成要素（例えば、照明実装データ及び／又は照明構成データを提供する他のデバイス）と通信するための送信機及び／又は受信機を含んでもよい。例えば、通信、電力、及び制御モジュール１３０は、照明実装データ及び／又は照明構成データを受信するための受信機を含み、かかるデータに従ってドライバの１つ以上のパラメータを調整してもよい。また例えば、通信、電力、及び制御モジュール１３０は、照明ユニットモジュール１１２、１１６、１２０、及び１２２等の１つ以上のパラメータを決定できるようかかるモジュールの１つ以上からデータを受信するための受信機を含み、オプションでかかるデータに従ってドライバの１つ以上のパラメータを調整してもよい。
【００４０】
［００５３］任意の送信機及び／又は受信機が、オプションで、１つ以上の通信媒体、通信技術、プロトコル、及び／又はプロセス間通信技術を使用し得る。例えば、通信媒体は任意の物理的媒体を含み、例えば、ツイストペア同軸ケーブル、光ファイバー、並びに／又は、例えば赤外線、マイクロ波、若しくは符号化可視光通信と照明器具ネットワーク内の通信の実施に適した任意の送信機、受信機、若しくは送受信機とを使用する無線リンクが含まれる。また、例えば、通信技術はデータ伝送用の任意の適切なプロトコルを含み、例えば、ＴＣＰ／ＩＰ、イーサネット（登録商標）系、ＵＳＢ、Ｂｌｕｅｔｏｏｔｈ（登録商標）、ＦｉｒｅＷｉｒｅ、Ｚｉｇｂｅｅ（登録商標）、ＤＭＸ、Ｄａｌｉ、８０２．１１ｂ、８０２．１１ａ、８０２．１１ｇ、トークンリング、トークンバス、シリアルバス、商用電源の電力線ネットワーキング若しくは低圧電線、及び／又は任意の他の適切な無線若しくは有線プロトコルが含まれる。
【００４１】
［００５４］図１Ｂは、第１のモジュラ適合可能照明ユニット１００Ａを形成するよう合体された図１Ａの適合可能な照明ユニットモジュールを示す。第１のモジュラ適合可能照明ユニット１００Ａの断面形状（紙面に垂直な断面）は実質的に円形状である。通信、電力、及び制御モジュール１３０が第１端拡散照明ユニットモジュール１１２の凹部１１４内に受容され、スポットライトユニットモジュール１２２が第２端拡散照明ユニットモジュール１１６によって受容されている。また、拡散照明ユニットモジュール１１２、１１６、１２０が互いに結合されている。任意で、ソケット及び／又は他のコネクタが使用され得る。また、電力線１３１、１１３、１２１、及び１１７が互いに電気的に結合され、更にスポットライトユニットモジュール１２２に電気的に結合されている。
【００４２】
［００５５］一部の実施形態では、照明ユニットモジュール１１２、１１６、１２０、及び１２２の１つ以上は、例えば本明細書に記載されるものの１つ以上等の１つ以上の適合可能な光出力特性を有し得る。このような光出力特性は、特定の照明実装に基づいて調整され得る。例えば、光出力特性は、第１のモジュラ適合可能照明ユニット１００Ａにおいてどの他の照明ユニットモジュールが使用されているかの決定に基づいて、通信、電力、及び制御モジュール１３０によって調整されてもよい。例えば、照明ユニットモジュール１１２、１１６、１２０、及び１２２のそれぞれの光出力強度は、照明ユニットモジュール１１２、１１６、１２０、及び１２２のそれぞれの光出力能力の分析に基づいて設定され且つ／又は動的に調整可能でもよい。また、例えば、（例えば熱及び／又はエネルギー制約のために）電力消費を目標レベル未満に維持するために、照明ユニットモジュール１１２、１１６、１２０、及び１２２のそれぞれに供給される電力が、照明ユニットモジュール１１２、１１６、１２０、及び１２２の全ての電力消費の分析に基づいて設定され且つ／又は動的に調整可能でもよい。また、例えば、適合可能照明ユニット１００Ａが特定の実装に取り付けられることを示す照明実装データが受信され、照明ユニットモジュール１１２、１１６、１２０、及び１２２のそれぞれの光出力強度、ビーム幅、色温度、及び／又は分布特性の１つ以上が、そのような特定の実装に対応する光出力を達成するために設定され且つ／又は動的に調整可能であり得る。
【００４３】
［００５６］図１Ｃは、第２のモジュラ適合可能照明ユニット１００Ｂを形成するよう合体された、図１Ａの適合可能な照明ユニットの一部と追加の拡散適合可能照明ユニットモジュール１２４とを示す。第２のモジュラ適合可能照明ユニット１００Ｂの断面形状は実質的に円形状である。図１Ｃにおいて、拡散照明ユニットモジュール１２４は第１端拡散照明ユニットモジュール１１２の凹部１１４によって受容されており、給電、通信、及び／又は制御はサイド接続１０１から受け取られる。一部の実施形態では、照明ユニットモジュール１１２、１１６、１２０、及び１２４の１つ以上は、例えば本明細書に記載されるものの１つ以上等の１つ以上の調整可能な光出力特性を有し得る。
【００４４】
［００５７］図２Ａは、概して全方向に向けられる第１の光出力（照明ユニット２００から発散する矢印によって概略的に表される）を生成するパック形状適合可能照明ユニット２００を示す。図２Ｂは、概して上方向に向けられる第２の光出力（照明ユニット２００から発散する矢印によって概略的に表される）を生成するパック形状適合可能照明ユニット２００を示す。パック形状適合可能照明ユニット２００は、上面２１２、下面２１４、及び周面２１６を有する外殻を含む。外殻は透明又は半透明であり、複数のＬＥＤを包囲する。一部の実施形態では、ＬＥＤは、細かに制御されるコリメートビームを生成するＬＥＤを含んでもよい。外部電源接続２０１が、パック形状適合可能照明ユニット２００のＬＥＤに給電してもよく、またオプションで、パック形状適合可能照明ユニット２００のコントローラに照明構成データを供給してもよい。パック形状適合可能照明ユニット２００の一部の実施形態では、全てのＬＥＤをフルパワーで駆動することは望ましくない又は不可能な可能性がある。代わりに、（図２Ｂに示されるように）ＬＥＤのサブレンジに電力が分配されてもよいし、且つ／又は、全てのＬＥＤがより低い強度で駆動されてもよい。特定の光出力分布は、パック形状適合可能照明ユニットが特定の照明実装と合体することに応じて受信される所定の照明構成データに従って生成されてもよい。
【００４５】
［００５８］図３Ａは、ラジアル方向周囲３６０°に概して向けられる第１の光出力（照明ユニット３００から発散する矢印によって概略的に表される）を生成する楕円形状適合可能照明ユニット３００を示す。図３Ｂは、ラジアル方向（２つの約６０°の間隔を空けて）周囲約２４０°に概して向けられる第２の光出力（照明ユニット３００から発散する矢印によって概略的に表される）を生成する楕円形状適合可能照明ユニット３００を示す。
【００４６】
［００５９］楕円形状適合可能照明ユニット３００は、ラジアル発光面３１６を有する外殻を含む。少なくとも外殻の周囲は透明又は半透明であり、複数のＬＥＤを包囲する。一部の実施形態では、ＬＥＤは細かに制御されるコリメートビームを生成するＬＥＤを含んでもよい。外部電源接続３０１が楕円形状適合可能照明ユニット３００のＬＥＤに給電してもよく、またオプションで、楕円形状適合可能照明ユニット３００のコントローラに照明構成データを供給してもよい。楕円形状適合可能照明ユニット３００の一部の実施形態では、ＬＥＤからの光出力を方向制御することが望ましい可能性がある。例えば、図３Ｂに示されるように、ＬＥＤの一部のみが点灯されて、部分的にラジアルに配置された光出力だけを供給してもよい。
【００４７】
［００６０］一部の実施形態では、照明の方向性は、オプションで受信照明構成データと共に供給される方向性データ通信によって制御されてもよい（例えば、電源接続３０１を介して又は受信照明構成データと組み合わせて供給される）。例えば、一部の実施形態では、照明の方向性は２バイトによって制御され得る。例えば、一部の実施形態では、図３Ａの第１の光出力は、「１１１１１１１１  １１１１１１１１」の方向性データ通信に応じて生成されてもよく、図３Ｂの第２の光出力は、「０００１１１１１  １１１１００００」の方向性データ通信に応じて生成されてもよい。他の光出力が他の方向性データ通信に応じて生成されてもよい。実装される特定の光出力は、楕円形状適合可能照明ユニット３００の特定の実装への組み込みに応じて受信される所定の照明データに対応してもよい。
【００４８】
［００６１］図４Ａ及び図４Ｂは、ポール４０１の上に取り付けられ、ランプシェード４０３によって包囲される（そしてアップ照明４０２及びダウン照明４０４を有さない）適合可能な照明ユニット４００を備える照明器具を示す。適合可能な照明ユニット４００は、区分化された照明効果を作成できる。例えば、図４Ａにおいて、照明ユニット４００はアップ照明４０２及びダウン照明４０４を含む第１の光出力を生成している。また例えば、図４Ｂでは、適合可能な照明ユニット４００はシェード４０３にシェード照明４０６が向けられた第２の光出力を生成している。更なる及び／又は他の区分化された照明効果が任意で適合可能な照明ユニット４００によって達成可能でもよい。
【００４９】
［００６２］一部の実施形態では、照明ユニット４００の光出力の区分化された出力、強度、及び／又は他の特性は、受信照明構成データに基づいて調整され得る。例えば、一部の実施形態では、照明器具の意図された照明実装（例えば、読書用、単に雰囲気照明用、及び／又はアップ照明用）を示す照明実装データを照明ユニット４００のＲＦＩＤリーダーに供給可能なＲＦＩＤタグがシェード４０３上に取り付けられてもよい。この場合、適合可能な照明ユニット４００は意図された照明実装に対応する照明構成データを（例えばローカルメモリから）取得して、それに従って適合可能な照明ユニット４００の光出力特性を調整してもよい。例えば、意図された照明実装が単に雰囲気照明及びアップ照明用の場合、照明構成データを使用して、シェード照明４０６のみを供給、アップ照明４０２のみを供給、及びシェード照明４０６とアップ照明４０２との組み合わせを供給ということを繰り返すよう構成されるように適合可能な照明ユニット４００を調整してもよい。
【００５０】
［００６３］図５Ａは、複数の発光層５４０Ａ−Ｇを有する複層適合可能照明ユニットモジュール５４０を備える他のモジュラ適合可能照明ユニット５００の垂直断面図を示す。図５Ａにおいて、複層適合可能照明ユニットモジュール５４０の凹部５１４内に拡散照明ユニットモジュール５２４が受容され、給電、通信、及び任意で制御はサイド接続５０１から受け取られる。スポットライトユニットモジュール５２２が端部拡散照明ユニットモジュール５１６の凹部５１８内に受容されている。また、拡散照明ユニットモジュール５１６、５２２、５２４、及び５４０は互いに結合されている。また、電力線５０１、５１７、及び５４２は互いに電気的に結合され、更にスポットライトユニットモジュール５２２及び拡散照明ユニットモジュール５２４に電気的に結合されている。
【００５１】
［００６４］発光層５４０Ａ−Ｇは、階段状の配置で互いの上に積層されている。発光層５４０Ａ−Ｇは、複層適合可能照明ユニットモジュール５４０内の同心円状の凹部５４９を包囲する。凹部５１４内の発光層５４０Ａ−Ｇの内側には、複数のＬＥＤ５４１Ａ−Ｇが配置されており、各発光層５４０Ａ−Ｇに向けられた光出力を生成する。一部の実施形態では、各発光層５４０Ａ−Ｇと関連付けられたＬＥＤ５４１Ａ−Ｇは個別に制御可能であり、各発光層５４０Ａ−Ｇからの光出力が個別に制御可能であってもよい。一部の実施形態では、単層５４０Ａ−Ｇに向けられた１つ以上のＬＥＤ５４１Ａ−Ｇのグループが個別に制御されてもよい。例えば、図５Ａに示されるように、単一のＬＥＤ５４１Ｆのみが点灯されて発光層５４０Ｆのセグメントのみを照明し、コリメートビーム５０３Ｆを生成してもよい。
【００５２】
［００６５］図５Ｂ及び図５Ｃを参照して、発光層５４０Ａの水平断面図、及び発光層５４０Ａの垂直断面図が示されている。一部の実施形態では、他の発光層５４０Ｂ−Ｆの１つ以上が発光層５４０Ａと同様の構成を有し得る。複数のＬＥＤ５４１Ａは、凹部５１４の周囲、発光層５４０Ａの内側に円状に配置される。各ＬＥＤ５４１Ａは、光出力が発光層５４０Ａに向けられるよう配置され、光出力が発光層５４０Ａに向かうことを確実にするためにコリメータ５４２Ａと結合される。ＬＥＤ５４１Ａからの光は発光層５４０Ａに入り、発光層５４０Ａの周囲からの光出力として出る。一部の実施形態では、１つ以上のＬＥＤ５４１Ａのグループが個別に制御可能であり得る（例えば、個別にオン／オフされ、輝度が個別に制御され、且つ／又は色が個別に制御され得る）。出射光が所望の角度及び／又は方向を有するコリメートビームとして外部結合されることを確実にするために、任意で、発光層５４０Ａの周囲の全体又は一部に沿って外部結合光学素子５４４Ａが設けられてもよい。一部の実施形態では、発光層５４０Ａはポリメチルメタクリレート（ＰＭＭＡ）を含み得る。
【００５３】
［００６６］一部の実施形態では、照明ユニットモジュール５１６、５２２、５２４、及び５４０の１つ以上は、本明細書に記載されるものの１つ以上等の１つ以上の調整可能な光出力特性を有し得る。このような光出力特性は、受信照明構成データを介して伝達される特定の照明実装に基づいて調整され得る。例えば、各発光層５４０Ａ−Ｇの光出力特性は、特定の設置位置又は場所を考慮するよう個別に調整され得る。例えば、所望のカットオフを達成するために、発光層５４０Ａ−Ｇの一部のみが点灯されてもよく、且つ／又は、特定の分布を達成するために、点灯される発光層５４０Ａ−Ｇ内のＬＥＤ５４１Ａ−Ｇの一部のみが点灯されてもよい。
【００５４】
［００６７］図６は、適合可能なＬＥＤベース照明システムの一実施形態の概略図を示す。適合可能なＬＥＤベース照明システムは、コントローラ６５０、ドライバ６５５、及び複数の調整可能なＬＥＤ６４１を備える適合可能なＬＥＤベース照明ユニット６００を含む。一部の実施形態では、コントローラ６５０及び／又はドライバ６５５は、ＬＥＤベース照明ユニット６００とは別個に提供され得る。一部の実施形態では、コントローラ６５０及びドライバ６５５は単一の要素として統合され得る。一部の実施形態では、適合可能なＬＥＤベース照明ユニット６００と適合可能な照明ユニット１００Ａ、１００Ｂ、２００、３００、４００、及び／又は５００とは１つ以上の共通の特徴を共有し得る。一部の実施形態では、適合可能なＬＥＤベース照明ユニット６００は適合可能な照明ユニット１００Ａ、１００Ｂ、２００、３００、４００、及び／又は５００の１つ以上によって置換及び／又は補足され得る。
【００５５】
［００６８］コントローラ６５０が照明構成データ６５１に従ってＬＥＤ６４１の１つ以上の適合可能な光出力特性を調整することを可能にするために、照明構成データ６５１がコントローラ６５０に供給される。供給される照明構成データ６５１は、適合可能な照明ユニット６００が実装される特定の照明実装の１つ以上の特徴に固有である。例えば、適合可能な照明ユニット６００は、複数の照明器具タイプに取り付け可能であり、異なる照明器具タイプごとに異なる光出力特性で動作可能であり得る。供給される照明構成データ６５１は、コントローラ６５０が照明構成データ６５１に従ってＬＥＤ６４１が生成する光出力を適切に調整することを可能にし得る。例えば、ＬＥＤ６４１が生成する光出力の特性を調整するために、コントローラはドライバ６５５、センサ入力、ＬＥＤ６４１と組み合わせられる光学素子、及び／又はＬＥＤ６４１を支持する１つ以上の調整可能な面の特性を調整してもよい。
【００５６】
［００６９］一部の実施形態では、照明構成データ６５１はコントローラ６５０に関連付けられたメモリ内に実装され得る。一部の実施形態では、照明構成データ６５１は他の場所（例えば、照明器具、外部データベース）に保存され、１つ以上の通信プロトコル及び／又は通信媒体を使用してコントローラ６５０に送信されてもよい。
【００５７】
［００７０］一部の実施形態では、コントローラ６５０は、ＬＥＤベース照明ユニット６００が実装される特定の照明実装を表す照明実装データ６０６を受け取り、照明実装データ６０６を対応する照明構成データ６５１と関連付け、対応する照明制御データ６５１を受け取り、照明構成データ６５１に従ってＬＥＤ６４１を制御し得る。
【００５８】
［００７１］一部の実施形態では、照明実装データ６０６は特定の照明器具（例えば、Ｐｈｉｌｉｐｓ  Ｌｉｒｉｏ  Ｐｏｓａｄａ  ｗｈｉｔｅ  ＬＩ  ３７３６２／３１／ＬＩ）、照明器具タイプ（例えば、雰囲気光を作り出す壁取り付け白色シェード又はアーム）、又は特定の照明効果（例えば、「ｅｆｆｅｃｔ  ｎｒ  １３１」）を表す１つ以上の識別子の識別情報を含んでもよい。一部の実施形態では、照明実装データ６０６はＬＥＤベース照明ユニット６００内に組み込まれたＲＦＩＤタグリーダーを介して受信されてもよい。ＲＦＩＤタグリーダーは、照明器具又は特定の照明器具部品若しくは部分（例えば、交換可能なランプシェード又は拡散板）に組み込まれたＲＦＩＤタグを検出してもよい。また、オプションで、エンドユーザーが「古い」照明器具を「レトロフィット」することを可能にする「ＲＦＩＤタグステッカー」をＬＥＤベース照明ユニット６００又は他の照明部品と共に提供してもよい。例えば、複数のＲＦＩＤタグステッカーがＬＥＤベース照明ユニット６００と組み合わせて提供され、それぞれがＬＥＤベース照明ユニット６００が使用され得る異なる照明器具タイプ用に構成されてもよい。ユーザーは適切なＲＦＩＤタグステッカーを選択し、それをＬＥＤベース照明ユニット６００が実装される照明器具上に取り付けることができる。
【００５９】
［００７２］一部の実施形態では、照明実装データ６０６はネットワークを介して受信されてもよい。例えば、ＬＥＤベース照明ユニット６００がＩＰ接続される場合（例えば、直接又はＺｉｇＢｅｅ（登録商標）−Ｗｉｆｉブリッジを使用して）、ユーザーはモバイルデバイス（例えば、スマートフォン又はタブレットコンピュータ）を使用して照明実装データ６０６をＬＥＤベース照明ユニット６００に送信してもよい。これは例えば、モバイルデバイス上で実行されるアプリケーション内のカタログから照明器具を選択することにより、（例えばパッケージ上に示される）照明器具のシリアル番号をタイプ入力することにより、又はモバイルデバイスで（例えば、照明器具のパッケージ上又は照明器具の裏にある）ＱＲコード（登録商標）を取り込むことにより実行され得る。
【００６０】
［００７３］一部の実施形態では、照明実装データ６０６は、ＬＥＤベース照明ユニット６００が照明器具内に実装されるときに作動されるＺｉｇｂｅｅ（登録商標）又は他のＲＦ通信等のアクティブな通信要素を介して受信され得る。例えば、アクティブな通信要素は、ＬＥＤベース照明ユニット６００が取り付けられる照明器具の一部でもよく、照明実装データ６０６をブロードキャストしてもよい。
【００６１】
［００７４］一部の実施形態では、照明実装データ６０６が検出されると、照明実装データ６０６を関連付けられた照明構成データ６５１のセットにマッピングするルックアップテーブルを使用して、照明実装データ６０６が適切な照明構成データ６５１に関連付けられ得る。一部の実施形態では、ルックアップテーブルはコントローラ６５０に結合されるローカルメモリ内に配置されてもよい。一部の実施形態では、コントローラ６５０はネットワークに接続されてもよく、照明実装データ６０６に関連付けられた照明構成データ６５１を特定するためにネットワークが使用されてもよい。
【００６２】
［００７５］一部の実施形態では、デバイスは照明構成データ６５１をＬＥＤベース照明ユニット６００に直接提供し、任意で照明実装データ６０６を提供しなくてもよい。例えば、ＬＥＤベース照明ユニット６００が取り付けられる照明器具は、照明構成データ６５１をマルチ効果ＬＥＤモジュールに直接提供してもよい。照明構成データ６５１は照明器具（例えば、照明器具のコントローラ）にローカルに保存されてもよいし、又は照明器具に組み込まれる電子デバイス内に保存されてもよい。照明構成データ６５１は、任意で、照明構成データ６５１が照明器具に対する「許容」設定を表すのか、又は照明器具に対する「好ましい」設定を表すのかを示す優先度データを含んでもよい。許容設定は、照明器具におけるＬＥＤベース照明ユニット６００の動作を可能にするために実装されなければならない設定である。言い換えれば、ＬＥＤベース照明ユニット６００が許容設定を実行できない場合、その照明器具内での動作は回避され得る。照明器具に対する好ましい設定は、実装されることが好ましい設定を表すが、ＬＥＤベース照明ユニット６００が当該設定を実装できない場合でも、照明器具におけるＬＥＤベース照明ユニット６００の動作は依然として可能である。
【００６３】
［００７６］一部の実施形態では、照明器具が照明構成データ６５１を直接提供することを可能にするためのＬＥＤベース照明ユニット６００と照明器具との間の通信接続をセットアップするために、物理的接続が使用される。例えば、照明構成データ６５１をＬＥＤベース照明ユニット６００に伝送するために、導線、コネクタ、ＵＳＢ接続、及び／又は電子通信バス（例えば、シリアルバス、電力線通信、及び／又はＵＳＢ接続）が使用されてもよい。
【００６４】
［００７７］一部の実施形態では、照明器具は、自身に適合する一次光出力特性（光分布、色温度等）のセットを照明構成データ６５１において伝送してもよい。更に、ＬＥＤベース照明ユニット６００が所望の一次光出力特性を完全に再現できない場合、照明器具は照明構成データ６５１において光出力特性の代替的なセットを伝送してもよい。また、照明器具は照明構成データ６５１において、１つ以上のユーザーインターフェイスによってどの光出力特性が制御可能であるか及び／又は制御可能な光出力特性のパラメータ及び範囲を定める動作モードを提供してもよい（例えば、調光の動作態様を定めるものでもよい）。一部の実施形態では、照明器具は複数のＬＥＤベース照明ユニットを含んでもよく、かかるＬＥＤベース照明ユニットの１つ以上が照明構成データ６５１を他のＬＥＤベース照明ユニットに提供してもよい。
【００６５】
［００７８］照明構成データ６５１内に含まれ得る光出力特性は、光源の複数の調整可能出力関連特性の１つ以上を含んでもよい。例えば、一部の光出力特性は、静的光出力特性及び／又は動的光出力特性等の単一の光出力特性に関連し得る。例えば、ＬＥＤベース照明ユニット６００のＬＥＤ６４１の１つ以上を緩やかなフェーディング態様で点灯／消灯させる単純なフェードイン／フェードアウトが定められてもよい。
【００６６】
［００７９］また、例えば、一部の光出力特性は、静的光出力及び／又は動的光出力特性等のセット等の光出力特性のセットに関連し得る。例えば、照明器具及び／又は接続されたデバイス（例えば、モバイルデバイス）は、照明構成データ６５１に従って設定された照明効果のセットからユーザーが所望の照明効果を選択することを可能にするユーザーインタラクション手段を提供してもよい。
【００６７】
［００８０］また、例えば、一部の光出力特性は、１つ以上の適合的又はインタラクティブな照明効果に関連し得る。例えば、照明構成データ６５１を介して取得された設定に基づくセンサ入力及び／又はユーザー入力に基づいて変化する動的照明効果がＬＥＤベース照明ユニット６００において実装されてもよい。
【００６８】
［００８１］また、例えば、一部の光出力特性は照明効果の範囲に関連し得る。例えば、別々の効果のセットを定める代わりに、強度、ビーム幅、色温度、又はＬＥＤベース照明ユニット６００の定められた区画にかけての光分布等の光出力特性の特定の変動を可能にする特定のパラメータ範囲により、効果の範囲を定めてもよい。動作中、ＬＥＤベース照明ユニット６００は特に（１）ユーザーインターフェイス入力（例えば、照明器具ＵＩを使用して、又はリモコン若しくはスマートフォン等の接続されたデバイス上のＵＩ手段を使用して）又は（２）センサ入力（例えば、周囲光強度、人の近さ、感知された室内の雰囲気、存在する人の多さ等）に基づいて、定められた範囲内でこれらのパラメータを制御し得る。使用されるセンサはＬＥＤベース照明ユニット６００内で、照明器具内で、及び／又はＬＥＤベース照明ユニット６００の近くの他の接続されたデバイス内で使用可能であり得る。
【００６９】
［００８２］一部の実施形態では、コントローラ６５０はドライバ６５５とインターフェイス接続し、所望の光出力特性を作成するために個別のＬＥＤが適切なパラメータで駆動されることを可能にし得る。一部の実施形態では、特定の照明器具は自身に関連付けられた所定の照明構成データのセットを有し、所定の照明構成データ６５１のうちの選択されたものがＬＥＤベース照明ユニット６００に供給されてもよい。一部の実施形態では、供給される照明構成データ６５１はＬＥＤベース照明ユニット６００の種類に依存し得る。一部の実施形態では、供給される照明構成データ６５１は更に及び／又は代わりに１つ以上の追加ファクタに依存し得る。例えば、一部の実施形態では、照明構成データ６５１は特定のセンサから入力される時間／日付等の他の入力に基づいて選択される。例えば、屋外照明は時刻、周囲光レベル、人の存在及び／又は近さ等の様々なパラメータに基づいて異なる照明構成データ６５１を提供し得る。一方、リビングルーム内の雰囲気照明は、ユーザーインターフェイスを介してユーザーに所定の光シーンのセットを提供し得る。この光シーンのセットは、任意で、検出された室内のアクティビティ（例えば、子供の検出又はパーティ群衆の検出）又は季節（例えば、特定の春又はクリスマスシーン）に依存し得る。照明設定は静的である必要はなく、時間と共に徐々に変化する動的なシーン（例えば、起床体験）、又は、センサ入力に応じて変化する適合的なシーン（例えば、夜明け又は人の到来の検出時に徐々に光強度を高める）を含んでもよい。
【００７０】
［００８３］適合可能な光出力特性に加えて又はその代わりに、特定の照明器具に関して特定のユーザーインタラクション特徴を有効化することも可能である。例えば、非常にオープンで、通常、ユーザーがアクセス可能な照明器具の場合、ＬＥＤベース照明ユニットは、モジュールに触れることによるタッチコントロールをサポートしてもよい。また、例えば、ペンダント型の天井照明器具の下側がオープンな場合、ＬＥＤベース照明ユニットの下での特定のジェスチャーがＬＥＤベース照明ユニットの制御を可能にしてもよい。
【００７１】
［００８４］図７は、ＬＥＤベース照明ユニットを特定の照明実装に適合させる方法の一実施形態のフローチャートを示す。他の実施形態は図７に示されるものとは異なる順番でステップを実行し、特定のステップを省略し、且つ／又は、異なる及び／若しくは追加のステップを実行し得る。一部の実施形態では、コントローラ６５０及び／又は本明細書に記載される適合可能な照明ユニットの他の実施形態に関連して説明されたコントローラ等のコントローラが、図７のステップを実行し得る。ステップ７００において、照明実装に固有な照明構成データが受信される。例えば、コントローラ６５０は受信された照明実装データに関連する照明構成データをローカルメモリから受信してもよい。ステップ７０５において、１つ以上の照明出力特性が受信照明構成データに従って調整される。例えば、コントローラ６５０は、受信照明構成データに従って対応するようＬＥＤ６４１の光出力特性を調整してもよい。
【００７２】
［００８５］幾つかの発明実施形態を本明細書に説明し例示したが、当業者であれば、本明細書にて説明した機能を実行するための、並びに／又は、本明細書にて説明した結果及び／若しくは１つ以上の利点を得るための様々な他の手段及び／若しくは構造体を容易に想到できよう。また、このような変更及び／又は改良の各々は、本明細書に説明される発明的実施形態の範囲内であるとみなされる。より一般的には、当業者であれば、本明細書にて説明されるすべてのパラメータ、寸法、材料、及び構成は例示のためであり、実際のパラメータ、寸法、材料、及び／又は構成は、発明的教示が用いられる１つ以上の特定用途に依存することを容易に理解できよう。当業者であれば、本明細書にて説明した特定の発明実施形態の多くの均等物を、通常の実験を用いて認識又は確認できよう。したがって、上記実施形態は、ほんの一例として提示されたものであり、添付の特許請求の範囲及び均等物の範囲内において、具体的に説明された又はクレームされた以外の態様で発明的実施形態が実施可能であることを理解されるべきである。本開示の発明的実施形態は、本明細書にて説明される個々の特徴、システム、品物、材料、キット、及び／又は方法に関する。更に、２つ以上のこのような特徴、システム、品物、材料、キット、及び／又は方法の任意の組み合わせも、当該特徴、システム、品物、材料、キット、及び／又は方法が相互に矛盾していなければ、本開示の本発明の範囲内に含まれる。
【００７３】
［００８６］本明細書にて定義されかつ用いられた定義はすべて、辞書の定義、参照することにより組み込まれた文献における定義、及び／又は、定義された用語の通常の意味に優先されて理解されるべきである。
【００７４】
［００８７］本明細書及び特許請求の範囲において、明らかに反対に示されない限り、要素は「少なくとも１つ」を意味するものと理解されるべきである。
【００７５】
［００８８］本明細書及び特許請求の範囲において、１つ以上の要素の列挙に関連する語句「少なくとも１つ」は、要素の列挙内の任意の１つ以上の要素から選択される少なくとも１つの要素を意味すると理解されるべきであり、必ずしも要素の列挙内に具体的に列挙される全ての要素を少なくとも１つ含まず、要素の列挙内の要素のあらゆる組み合わせを除外しない。また、この定義は、語句「少なくとも１つ」が指す要素の列挙内に具体的に特定される要素以外の要素が任意で存在し得ることを許容し、具体的に特定される要素に関係しても無関係でもよい。したがって、非限定的な例として、一実施形態において、「Ａ及びＢの少なくとも１つ」（又は、同等に、「Ａ又はＢの少なくとも１つ」若しくは「Ａ及び／又はＢの少なくとも１つ」）は、Ｂが存在せず、少なくとも１つの、任意で２つ以上のＡを指し（任意でＢ以外の要素を含む）、他の実施形態においては、Ａが存在せず、少なくとも１つの、任意で２つ以上のＢを指し（任意でＡ以外の要素を含む）、他の実施形態においては、少なくとも１つの、任意で２つ以上のＡ、及び少なくとも１つの、任意で２つ以上のＢ等を指し得る（任意で他の要素を含む）。
【００７６】
［００８９］更に、特に明記されない限り、本明細書に記載された２つ以上のステップ又は動作を含むどの方法においても、当該方法のステップ又は動作の順番は、記載された方法のステップ又は動作の順序に必ずしも限定されないことを理解すべきである。
【００７７】
［００９０］請求項において、括弧内に登場する任意の参照符号は、便宜上、提供されているに過ぎず、当該請求項をいかようにも限定することを意図していない。
【００７８】
［００９１］特許請求の範囲においても上記明細書においても、「備える」、「含む」、「担持する」、「有する」、「含有する」、「関与する」、「保持する」、「〜から構成される」等といったあらゆる移行句は、非制限的、すなわち、含むがそれに限定されないことを意味すると理解すべきである。米国特許庁特許審査手続便覧の第２１１１．０３項に記載される通り、「〜からなる」及び「本質的に〜からなる」といった移行句のみが、制限又は半制限移行句である。
【図１Ａ】
0006357152.tif 000002
【図１Ｂ】
0006357152.tif 000003
【図１Ｃ】
0006357152.tif 000004
【図２Ａ】
0006357152.tif 000005
【図２Ｂ】
0006357152.tif 000006
【図３Ａ】
0006357152.tif 000007
【図３Ｂ】
0006357152.tif 000008
【図４Ａ】
0006357152.tif 000009
【図４Ｂ】
0006357152.tif 000010
【図５Ａ】
0006357152.tif 000011
【図５Ｂ】
0006357152.tif 000012
【図５Ｃ】
0006357152.tif 000013
【図６】
0006357152.tif 000014
【図７】
0006357152.tif 000015